(57)【要約】  マルチメディアブロードキャスト／マルチキャストサービス（Multimedia Multicast/Broadcast Service；ＭＢＭＳサービス）に対して、選好周波数階層及び非選好周波数階層を設定する移動通信システムにおける選好周波数情報を送信する方法を提供する。このような方法は、ＭＢＭＳサービスのセッションが開始されると、ＭＢＭＳサービスの少なくとも１つの選好周波数を決定するステップと、少なくとも１つの選好周波数を示す選好周波数情報を生成するステップと、ＭＢＭＳサービスの受信を希望するユーザ端末の通信を管理する少なくとも１つのサービング無線網制御器へ選好周波数情報を送信するステップとを含む。
2008508785.tif 000002
【特許請求の範囲】
【請求項１】
マルチメディアブロードキャスト／マルチキャストサービス（ＭＢＭＳサービス）に対して、選好周波数階層及び非選好周波数階層を設定する移動通信システムにおける選好周波数情報を送信する方法であって、
前記ＭＢＭＳサービスのセッションが開始されると、前記ＭＢＭＳサービスの少なくとも１つの選好周波数を決定するステップと、
前記少なくとも１つの選好周波数を示す選好周波数情報を生成するステップと、
前記ＭＢＭＳサービスの受信を希望するユーザ端末の通信を管理する少なくとも１つのサービング無線網制御器へ前記選好周波数情報を送信するステップと
を具備することを特徴とする方法。
【請求項２】
前記選好周波数情報は、
前記サービング無線網制御器が管理する専用チャンネルを有するユーザ端末が存在するセルに対して選択された基本選好周波数を示す基本選好周波数情報と、
前記基本選好周波数を除外した残りの選好周波数の各々に対して該当するセルを示す付加選好周波数情報とから構成されることを特徴とする請求項１記載の方法。
【請求項３】
前記選好周波数情報は、
無線ネットワークシステム応用部（ＲＮＳＡＰ）メッセージに含まれ、前記ユーザ端末を含むセルを管理するドリフト無線網制御器から前記サービング無線網制御器へ送信されることを特徴とする請求項１記載の方法。
【請求項４】
前記ＲＮＳＡＰメッセージは、
選好周波数指示メッセージ及びチャンネルタイプ再構成指示メッセージのうち少なくとも１つを具備することを特徴とする請求項３記載の方法。
【請求項５】
前記選好周波数情報は、
前記ＭＢＭＳサービスに対して、無線網制御器、基地局、セルグループ、及びセルごとに割り当てられた選好周波数のうち少なくとも１つを示すことを特徴とする請求項１記載の方法。
【請求項６】
前記少なくとも１つのサービング無線網制御器から前記選好周波数情報の成功的な受信を報告する確認メッセージを受信するステップをさらに具備することを特徴とする請求項１記載の方法。
【請求項７】
前記ＭＢＭＳサービスの受信を希望し、専用チャンネルを有するユーザ端末を検索して、前記ユーザ端末の通信を管理する前記少なくとも１つのサービング無線網制御器を確認するステップをさらに具備することを特徴とする請求項１記載の方法。
【請求項８】
前記選好周波数情報は、
前記ＭＢＭＳサービスの受信を希望し、専用チャンネルを有しているユーザ端末が位置しているセルの選好周波数を示すことを特徴とする請求項１記載の方法。
【請求項９】
マルチメディアブロードキャスト／マルチキャストサービス（ＭＢＭＳサービス）に対して、選好周波数階層及び非選好周波数階層を設定する移動通信システムにおける選好周波数情報を送信する方法であって、
前記ＭＢＭＳサービスのセッションが開始されると、前記ＭＢＭＳサービスの受信を希望するユーザ端末を含むセルを管理するドリフト無線網制御器から前記ＭＢＭＳサービスの少なくとも１つの選好周波数を示す選好周波数情報を受信するステップと、
前記選好周波数情報に従って、前記ＭＢＭＳサービスの受信を希望するユーザ端末へ前記少なくとも１つの選好周波数を通知するステップと
を具備することを特徴とする方法。
【請求項１０】
前記選好周波数情報は、
専用チャンネルを有している前記ユーザ端末が存在する前記セルに対する基本選好周波数情報と、付加選好周波数情報とを具備し、
前記付加選好周波数情報は、前記選好周波数情報に選択的に含まれることを特徴とする請求項９記載の方法。
【請求項１１】
前記少なくとも１つの選好周波数を前記ユーザ端末へ通知するステップは、
前記付加選好周波数情報が前記ドリフト無線網制御器から受信された前記選好周波数情報に含まれているか否かを確認するステップと、
前記付加選好周波数情報が前記選好周波数情報に含まれていないと、前記ドリフト無線網制御器が制御し、前記専用チャンネルを有しているユーザ端末が位置するすべてのセルの選好周波数を前記選好周波数情報に含まれた基本選好周波数として設定するステップと、
前記付加選好周波数情報が前記選好周波数情報に含まれていると、前記専用チャンネルを有しているユーザ端末が位置するセルの各々に対して、該当セルＩＤが前記付加選好周波数情報のセルＩＤリストに含まれているか否かを確認するステップと、
前記セルＩＤリストに含まれていないセルの選好周波数を前記基本選好周波数として設定するステップと、
前記セルＩＤリストに含まれているセルの選好周波数を前記セルＩＤリストに関連した選好周波数として設定するステップと、
前記すべてのセルに対して設定された選好周波数を専用制御チャンネルを介して前記専用チャンネルを有するユーザ端末へ通知するステップとを具備することを特徴とする請求項１０記載の方法。
【請求項１２】
前記選好周波数情報は、
無線ネットワークシステム応用部（ＲＮＳＡＰ）メッセージに含まれ、前記ユーザ端末を含むセルを管理するドリフト無線網制御器から前記サービング無線網制御器へ送信されることを特徴とする請求項９記載の方法。
【請求項１３】
前記ＲＮＳＡＰメッセージは、
選好周波数指示メッセージ及びチャンネルタイプ再構成指示メッセージのうち少なくとも１つを具備することを特徴とする請求項１２記載の方法。
【請求項１４】
前記選好周波数情報は、
前記ＭＢＭＳサービスに対して、無線網制御器、基地局、セルグループ、及びセルごとに割り当てられた選好周波数のうち少なくとも１つを示すことを特徴とする請求項９記載の方法。
【請求項１５】
前記少なくとも１つのサービング無線網制御器から前記選好周波数情報の成功的な受信を報告する確認メッセージを前記ドリフト無線網制御器へ送信するステップをさらに具備することを特徴とする請求項９記載の方法。
【請求項１６】
マルチメディアブロードキャスト／マルチキャストサービス（ＭＢＭＳサービス）に対して、選好周波数階層及び非選好周波数階層を設定する移動通信システムにおける選好周波数情報を送信する装置であって、
前記ＭＢＭＳサービスの受信を希望するユーザ端末を管理するサービング無線網制御器と、
前記ＭＢＭＳサービスのセッションが開始されると、前記ＭＢＭＳサービスの少なくとも１つの選好周波数を決定し、前記少なくとも１つの選好周波数を示す選好周波数情報を構成し、前記選好周波数情報を前記サービング無線網制御器へ送信するドリフト無線網制御器とから構成され、
前記サービング無線網制御器は、前記ドリフト無線網制御器から前記選好周波数情報を受信し、前記選好周波数情報に従って、前記少なくとも１つの選好周波数を前記ＭＢＭＳサービスの受信を希望するユーザ端末へ通知することを特徴とする装置。
【請求項１７】
前記選好周波数情報は、
前記サービング無線網制御器が管理する専用チャンネルを有するユーザ端末が存在するセルのうちで、選択された１つの基本選好周波数を示す基本選好周波数情報と、前記基本選好周波数を除外した残りの選好周波数の各々に対して該当するセルを示す付加選好周波数情報とから構成されることを特徴とする請求項１６記載の装置。
【請求項１８】
前記サービング無線網制御器は、
前記付加選好周波数情報が前記ドリフト無線網制御器から受信された前記選好周波数情報に含まれているか否かを確認し、
前記付加選好周波数情報が前記選好周波数情報に含まれていないと、前記ドリフト無線網制御器が制御し、前記専用チャンネルを有しているすべてのユーザ端末の選好周波数を前記選好周波数情報に含まれた基本選好周波数として設定し、
前記付加選好周波数情報が前記選好周波数情報に含まれていると、前記専用チャンネルを有しているユーザ端末が位置するセルの各々に対して、該当セルのＩＤが前記付加選好周波数情報のセルＩＤリストに含まれているか否かを確認し、
前記セルＩＤリストに含まれていないセルの選好周波数を前記基本選好周波数として設定し、
前記セルＩＤリストに含まれているセルの選好周波数を前記セルＩＤリストに関連した選好周波数として設定し、
前記すべてのセルに対して設定された選好周波数を前記該当セルに位置し、前記専用チャンネルを有しているユーザ端末へ通知することを特徴とする請求項１６記載の装置。
【請求項１９】
前記選好周波数情報は、
無線ネットワークシステム応用部（ＲＮＳＡＰ）メッセージに含まれ、前記ドリフト無線網制御器から前記サービング無線網制御器へ送信されることを特徴とする請求項１６記載の装置。
【請求項２０】
前記ＲＮＳＡＰメッセージは、
選好周波数指示メッセージ及びチャンネルタイプ再構成指示メッセージのうち少なくとも１つを具備することを特徴とする請求項１９記載の装置。
【請求項２１】
前記選好周波数情報は、
前記ＭＢＭＳサービスに対して、無線網制御器、基地局、セルグループ、及びセルごとに割り当てられた選好周波数のうち少なくとも１つを示すことを特徴とする請求項１６記載の装置。
【請求項２２】
前記サービング無線網制御器は、
前記選好周波数情報の成功的な受信を報告する確認メッセージを前記ドリフト無線網制御器へ送信することを特徴とする請求項１６記載の装置。
【請求項２３】
前記ドリフト無線網制御器は、
前記ＭＢＭＳサービスの受信を希望し、前記専用チャンネルを有しているユーザ端末を検索して、前記ユーザ端末の通信を管理する前記サービング無線網制御器を確認することを特徴とする請求項１６記載の装置。
【発明の詳細な説明】
【技術分野】
【０００１】
本発明は、マルチメディアマルチキャスト／ブロードキャストサービス（Multimedia Multicast/Broadcast Service；以下、ＭＢＭＳサービスと称する）に関し、特に、選好周波数（Preferred Layer frequency；ＰＬ）でＭＢＭＳがサービスされるＦＬＣ（frequency layer convergence）状況で、セッションが開始される際にセル専用チャンネル（cell dedicated channel；ＣＥＬＬ_ＤＣＨ）状態のユーザ端末へ特定の選好周波数に関する情報を知らせる方法及び装置に関する。
【背景技術】
【０００２】
最近、通信技術の発達に伴って、広帯域（Wideband）符号分割多元接続（Code Division Multiple Access；以下、‘Ｗ−ＣＤＭＡ’と称する）方式を使用する移動通信システムから提供されるサービスは、従来の音声サービスだけではなく、大容量のデータを伝送するパケットサービス通信と、マルチメディアサービスを伝送することができるマルチメディアブロードキャスト／通信に発展している。従って、マルチメディアブロードキャスト／通信を支援するために、一つあるいは複数のマルチメディアデータソースから複数のユーザ端末（User Equipment；以下、‘ＵＥ’と称する）へサービスを提供するマルチメディアブロードキャスト／マルチキャストサービスが論議されている。
【０００３】
“ＭＢＭＳサービス”とは、無線ネットワークを介して同一のマルチメディアデータを複数の受信者へ伝送するサービスを通称する。この場合、複数の受信者が一つの無線チャンネルを共有するので、無線伝送資源を節約することができる。ＭＢＭＳサービスは、実時間映像及び音声、静止画、文字などのマルチメディア伝送形態を支援し、マルチメディア伝送形態によって音声データと映像データを同時に提供することができるサービスとして大量の伝送資源を要求する。ＭＢＭＳサービスの場合には、ユーザが位置している複数のセルに同一のデータを伝送しなければならないので、各セル別に位置するユーザの数によって一対一（Point to Point；以下、‘ＰＰ’と称する）または一対多（Point to Multipoint；以下、‘ＰＭ’と称する）接続が行われる。
【０００４】
図１は、移動通信ネットワークにおいてＭＢＭＳサービスの提供に参加するノードを概略的に示す図である。図１において、ＧＳＭ（Global System for Mobile Communications）及びＧＰＲＳ（General Packet Radio Services）に基づいて、第３世代非同期移動通信方式の標準である３ＧＰＰ（３rd Generation Project Partnership）システムにＭＢＭＳサービスを適用した構成の形態を示す。
【０００５】
図１を参照すると、ユーザ端末（ＵＥ）１６１、１６２、１６３、１７１、１７２は、ＭＢＭＳサービスを受信できる端末装置あるいは加入者を意味し、第１のセル１６０及び第２のセル１７０は、加入者にＭＢＭＳ関連データを無線伝送する基地局装置、すなわち、ノードＢにより制御される物理的又は論理的なサービスの領域を示す。無線網制御器（Radio Network controller；以下、‘ＲＮＣ’と称する）１４０は、多数のセル１６０、１７０を制御してマルチメディアデータを特定のセルへ選択的に伝送し、ＭＢＭＳサービスを提供するために設定されている無線チャンネルを制御する。ＲＮＣ１４０とＵＥ１６１乃至１７２との間の接続は、無線資源制御（Radio Resource control；以下、“ＲＲＣ”と称する）インターフェースによってなされる。
【０００６】
ＲＮＣ１４０は、サービスパケット無線サービス支援ノード（Serving GPRS Support Node；以下、‘ＳＧＳＮ’と称する）１３０により、インターネットなどのようなパケット交換サービス（Packet Switched or Packet Service；以下、‘ＰＳ’と称する）ネットワークに接続される。ＲＮＣ１４０とＰＳネットワーク間の通信は、パケット交換シグナリング（Packet Switched Signaling；PS Signaling）によりなされる。特に、ＲＮＣ１４０とＳＧＳＮ１３０と間の接続は、Ｉｕ−ＰＳインターフェースと称する。ＳＧＳＮ１３０は、各加入者のＭＢＭＳ関連サービスを制御する。例えば、ＳＧＳＮ１３０は、各加入者のサービス課金に関連したデータを管理する役割及びマルチメディアデータを特定のＲＮＣ１４０へ選別的に送信する役割をする。
【０００７】
運送ネットワーク（Transit NW）１２０は、マルチキャスト／ブロードキャストサービスセンター（Broadcast Multicast Service Center；以下、“ＢＭ-ＳＣ”と称する）１１０とＳＧＳＮ１３０との間の通信路を提供し、ゲートウェイパケットサービスサポートノード（Gateway GPRS Support Node；ＧＧＳＮ）（図示せず）を通じて外部網に連結することができる。ＭＢＭＳデータソースとしての役割を果たすＢＭ-ＳＣ１１０は、ＭＢＭＳデータのスケジューリングを担当している。
【０００８】
一方、ＲＮＣ１４０は、移動交換局（Mobile Switching Center；以下、‘ＭＳＣ’と称する）１５０により回線交換（Circuit Switched；以下、‘ＣＳ’と称する）ネットワークに連結される。ＣＳネットワークは、従来の接続ベース（connection-based）の音声中心の既存（legacy）通信ネットワークを意味する。ＲＮＣ１４０とＭＳＣ１５０との間の通信は、回線交換シグナリング（Circuit Switched Signaling）により行われる。特に、ＲＮＣ１４０とＭＳＣ１５０との間の接続は、Ｉｕ−ＣＳインターフェースと称する。
【０００９】
ＢＭ-ＳＣ１１０から発生したＭＢＭＳデータストリームは、運送ネットワーク１２０、ＳＧＳＮ１３０、ＲＮＣ１４０、ノードＢ及びセル１６０、１７０を経てＵＥ１６１、１６２、１６３、１７１、１７２へ伝達される。
【００１０】
図１には図示していないが、１つのＭＢＭＳサービスに対して複数のＳＧＳＮ及び各ＳＧＳＮに対して、複数のＲＮＣが設けられてもよい。上記各ＳＧＳＮは、複数のＲＮＣに、各ＲＮＣは、複数の各セルに選別的なデータ送信を遂行し、このために、各ノードは、データストリームを送信しなければならない下位ノードのリストを貯蔵する。すなわち、ＳＧＳＮは、ＲＮＣのリストを、ＲＮＣは、セルのリストを貯蔵する。すると、複数のノードは、上記貯蔵されているノードにのみ選別的なＭＢＭＳデータの送信を遂行する。
【００１１】
図２は、ＭＢＭＳシステムにおけるＦＬＣ状況の従来の周波数階層構成を示す。
【００１２】
図２において、相互に異なる周波数１乃至３の各々を使用する３つの周波数階層２２１乃至２２３は、空間的に重なっており、複数のＵＥ２１１乃至２１４は、ＭＢＭＳサービスのセッションが開始される前に周波数階層２２１乃至２２３に位置している。周波数階層２２１乃至２２３のうち、周波数階層２２２は、上記ＭＢＭＳサービスの選好周波数（ＰＬ）として設定されている。
【００１３】
コアネットワーク（Core Network；ＣＮ）２０１は、ＢＭ-ＳＣ、送信ネットワーク、ＭＳＣ、及びＳＧＳＮなどを示す。ＵＥ２１１乃至２１４を管理するＲＮＣ２０２及び周波数階層２２１乃至２２３を管理するＲＮＣ２０３は、ＣＮ２０１に接続されている。また、ＣＮ２０１がＲＮＣ２０２及び２０３に接続される有線通路２３１をＩｕインターフェースと称し、ＲＮＣ２０２がＲＮＣ２０３に接続される有線通路２３２をＩｕｒインターフェースと称する。ここで、周波数階層２２１乃至２２３を直接管理するために、ＲＮＣ２０３とＵＥ２１１乃至２１４との間に存在するノードＢを省略する。ここで、ＲＮＣ２０３は、ＵＥ２１１乃至２１４を含む周波数階層２２１乃至２２３を直接管理するドリフト（Drift）ＲＮＣ（以下、“ＤＲＮＣ”と称する）であり、ＲＮＣ２０２は、ＵＥ２１１乃至２１４の通信を管理するサービング（Serving）ＲＮＣ（以下、“ＳＲＮＣ”と称する）である。
【００１４】
ここで、専用チャンネル（Dedicate Channel；ＤＣＨ）を介してサービスを受信しているＵＥ２１１、２１３、及び２１４（“ＣＥＬＬ_ＤＣＨ状態のＵＥ”と称する）は、ＭＢＭＳ制御チャンネル（MBMS Control Channel；以下、“ＭＣＣＨ”と称する）を読み出さないので、選好周波数に関する情報を認識することができない。従って、ＲＮＣ２０２がＣＥＬＬ_ＤＣＨ状態のＵＥ２１１、２１３、及び２１４に専用制御チャンネル（Dedicate Control Channel；ＤＣＣＨ）を介して選好周波数情報を通知することができる技術を提供する必要があった。
【発明の開示】
【発明が解決しようとする課題】
【００１５】
上記背景に鑑みて、本発明の目的は、ＭＢＭＳサービスのセッション開始を認識したＤＲＮＣが選好周波数（ＰＬ）を選択して、ＰＬのＳＲＮＣに明示的に知らせる方法及び装置を提供することにある。
【００１６】
本発明の他の目的は、Ｉｕｒインターフェース上のシグナリングベアラーを使用する無線ネットワークシステム応用部（Radio Network System Application Part；ＲＮＳＡＰ）の手順を使用することによって、ＤＲＮＣがＭＢＭＳサービスの選好周波数情報をＳＲＮＣへ伝達する方法及び装置を提供することにある。
【課題を解決するための手段】
【００１７】
上記のような目的を達成するために、本発明の第１の見地によると、マルチメディアブロードキャスト／マルチキャストサービス（ＭＢＭＳサービス）に対して、選好周波数階層及び非選好周波数階層を設定する移動通信システムにおける選好周波数情報を送信する方法は、上記ＭＢＭＳサービスのセッションが開始されると、上記ＭＢＭＳサービスの少なくとも１つの選好周波数を決定するステップと、上記少なくとも１つの選好周波数を示す選好周波数情報を生成するステップと、上記ＭＢＭＳサービスの受信を希望するユーザ端末の通信を管理する少なくとも１つのサービング無線網制御器へ上記選好周波数情報を送信するステップとを具備することを特徴とする。
【００１８】
本発明の第２の見地によると、マルチメディアブロードキャスト／マルチキャストサービス（ＭＢＭＳサービス）に対して、選好周波数階層及び非選好周波数階層を設定する移動通信システムにおける選好周波数情報を送信する方法は、上記ＭＢＭＳサービスのセッションが開始されると、上記ＭＢＭＳサービスの受信を希望するユーザ端末を含むセルを管理するドリフト無線網制御器から上記ＭＢＭＳサービスの少なくとも１つの選好周波数を示す選好周波数情報を受信するステップと、上記選好周波数情報に従って、上記ＭＢＭＳサービスの受信を希望するユーザ端末へ上記少なくとも１つの選好周波数を通知するステップとを具備することを特徴とする。
【００１９】
本発明の第３の見地によると、マルチメディアブロードキャスト／マルチキャストサービス（ＭＢＭＳサービス）に対して、選好周波数階層及び非選好周波数階層を設定する移動通信システムにおける選好周波数情報を送信する装置は、上記ＭＢＭＳサービスの受信を希望するユーザ端末を管理するサービング無線網制御器と、上記ＭＢＭＳサービスのセッションが開始されると、上記ＭＢＭＳサービスの少なくとも１つの選好周波数を決定し、上記少なくとも１つの選好周波数を示す選好周波数情報を構成し、上記選好周波数情報を上記サービング無線網制御器へ送信するドリフト無線網制御器とから構成され、上記サービング無線網制御器は、上記ドリフト無線網制御器から上記選好周波数情報を受信し、上記選好周波数情報に従って、上記少なくとも１つの選好周波数を上記ＭＢＭＳサービスの受信を希望するユーザ端末へ通知することを特徴とする。
【発明の効果】
【００２０】
本発明の実施形態によると、ＤＲＮＣは、特定のＭＢＭＳセッションの選好周波数を決定して、ＤＲＮＣからＳＲＮＣへ選好周波数に関する情報を送信し、これによって、ＳＲＮＣが上記選好周波数に関する情報を専用チャンネルを有するＵＥへ送信することができるようにする。
【発明を実施するための最良の形態】
【００２１】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。そして、後述する用語は、本発明での機能を考慮して定義された用語であり、これは、使用者及び運用者の意図又は慣例に従って変わっても良い。従って、その用語は、本発明の全体の内容に基づいて定義されなければならない。
【００２２】
本発明の実施形態によると、ＭＢＭＳサービスのセッションが開始される際に、ＣＥＬＬ_ＤＣＨ ＵＥが上記ＭＢＭＳサービスを受信することができるように、ＳＲＮＣは、上記ＭＢＭＳサービスの選好周波数情報をＣＥＬＬ_ＤＣＨ ＵＥへ専用制御チャンネル（ＤＣＣＨ）を介して送信し、ＤＲＮＣがＳＲＮＣと相互に異なる場合に、ＳＲＮＣがＲＲＣメッセージを通じて選好周波数情報をＵＥへ通知することができるように、ＤＲＮＣは、上記選好周波数に関する情報をＳＲＮＣへ送信する。
【００２３】
図３は、本発明の望ましい実施形態によるＲＮＣとＵＥとの間のメッセージフローを示すフロー図である。
【００２４】
ステップＳ３１０及び３１１において、ＳＧＳＮ（図示せず）は、特定のＭＢＭＳサービスのセッションがそれぞれ開始されることをＳＲＮＣ３０１及びＤＲＮＣ３０２へ通知する。ステップＳ３１２で、ＵＥ３０３は、セル専用チャンネル（ＣＥＬＬ_ＤＣＨ）状態にある。
【００２５】
ステップＳ３２０で、ＤＲＮＣ３０２は、自身が管理するセルの負荷（load）及び既存のＭＢＭＳサービスが実行された周波数に関する情報を総合的に考慮して、上記ＭＢＭＳサービスのための選好周波数（ＰＬ）を選択する。ステップＳ３４０で、ＤＲＮＣ３０２は、上記選好周波数を示す選好周波数情報をＳＲＮＣ３０１へ送信し、ステップＳ３５０で、ＳＲＮＣ３０１は、上記専用制御チャンネルを使用して専用通知（dedicated notification）手順を通して上記選好周波数情報をＵＥ３０３へ通知する。
【００２６】
ステップＳ３４０で、ＤＲＮＣ３０２とＳＲＮＣ３０１との間の選好周波数情報の送信は、ＲＮＳＡＰ（Radio Network System Application Part）メッセージである選好周波数指示（Preferred Layer Indication）メッセージを通じて遂行されるか、チャンネルタイプ再構成指示（Channel Type Recon figuration Indication）メッセージを通じて遂行される。
【００２７】
図３に関連した変形された実施形態において、ステップＳ３４０とステップＳ３５０との間で、ＳＲＮＣ３０１は、上記選好周波数情報を成功的に受信したことを知らせるために、ＰＬ確認メッセージをＤＲＮＣ３０２へ送信することができる。
【００２８】
図４Ａ及び図４Ｃは、本発明の望ましい実施形態による選好周波数指示メッセージ及びチャンネルタイプ再構成指示メッセージのフォーマットをそれぞれ示す図である。
【００２９】
図４Ａの選好周波数指示メッセージに示すように、ＲＮＣは、選好周波数を多様な方式にて設定することができる。すなわち、１つのＭＢＭＳサービスは、ＲＮＣが管理するすべてのセルで同一の選好周波数を有することもできる。一方、ＭＢＭＳサービスは、各Ｎｏｄｅ Ｂ、又は複数のセルを含んでいる各セルグループに従って、相互に異なる選好周波数を有することができる。図４Ａにおいて、ｍａｘＮｏｄｅＢ、ｍａｘＣｅｌｌＧｒｏｕｐ、ｍａｘＣｅｌｌは、ＤＲＮＣの制御下のノードＢ、セルグループ、及びセルの個数を示し、ＤＬ ＵＡＲＦＣＮ（Downlink UTRA Absolute Radio Frequency Channel Number）は、選好周波数として選択された周波数階層を示す。また、１つの位置で多様な周波数が選好周波数として設定されることができるという点を考慮し、選好周波数を示すＤＬ ＵＡＲＦＣＮは、ＲＮＣ、各ノードＢ、各セルグループ、あるいは、各セルに対して予め定められた選好周波数の個数であるｍａｘＰＬだけ含まれることができる。
【００３０】
さらに詳細に説明すると、選好周波数情報は、選択された選好周波数領域で、ＤＲＮＣに対するｍａｘＰＬ個の選好周波数、ｍａｘＮｏｄｅＢ個のノードＢに対するｍａｘＰＬ個の選好周波数、ｍａｘＣｅｌｌＧｒｏｕｐ個のセルグループに対するｍａｘＰＬ個の選好周波数、又は、ｍａｘＣｅｌｌ個のセルに対するｍａｘＰＬ個の選好周波数を示す。
【００３１】
上記選好周波数に関する情報が上記チャンネルタイプ再構成指示メッセージを使用して送信される場合には、各セルの選好周波数を示すｍａｘＰＬ個のＤＬ ＵＡＲＦＣＮは、既存のチャンネルタイプ再構成指示メッセージのＭＢＭＳベアラーサービスリストに含まれる。
【００３２】
上記ＭＢＭＳベアラーサービスリストは、チャンネルタイプを再構成するために、ＭＢＭＳサービスＩＤを示すＴＭＧＩ（Temporary Mobile Group Identity）と、送信モードと、ＭＢＭＳのためのＵＥ情報を示すＳ-ＲＮＴＩ（SRNC-Radio Network Temporary Identity）とをさらに含む。
【００３３】
図５は、本発明の望ましい実施形態によるＤＲＮＣの動作を示すフロー図である。
【００３４】
図５は、ＰＬ指示メッセージを使用する形態を示す。
【００３５】
ＤＲＮＣは、ステップＳ５１０で、ＳＧＳＮからＭＢＭＳセッション開始メッセージを受信し、ステップＳ５２０で、上記ＭＢＭＳサービスの選好周波数を決定する。ここで、ＤＲＮＣは、自身が管理しているセル及びセルグループのノードＢに対して選好周波数を決定する。ステップＳ５３０で、ＤＲＮＣは、ＤＲＮＣに属しているＣＥＬＬ_ＤＣＨ ＵＥのＳＲＮＣを検索して、ＰＬ指示メッセージを送信するＳＲＮＣを決定し、上記決定された選好周波数に関する情報を使用して、上記決定されたＳＲＮＣへ送信されるＰＬ指示メッセージを構成する。ステップＳ５４０で、ＤＲＮＣは、上記ＰＬ指示メッセージを上記決定されたＳＲＮＣへ送信する。上述したような変形された実施形態の場合、ＤＲＮＣは、ＳＲＮＣからＰＬ確認メッセージを待機し、ＳＲＮＣからＰＬ確認メッセージを成功的に受信すると、その動作を終了する。
【００３６】
図６は、本発明の望ましい実施形態によるＳＲＮＣの動作を示すフロー図である。
【００３７】
ＳＲＮＣは、ステップＳ６１０で、ＰＬ指示メッセージがＤＲＮＣから受信されると、ステップＳ６３０へ進行する。ステップＳ６３０で、ＳＲＮＣは、ＤＲＮＣが管理するセルに位置したＣＥＬＬ_ＤＣＨ ＵＥにＭＢＭＳセッションがすぐ開始されるとの旨を知らせる専用通知手順を遂行する。このとき、ＳＲＮＣは、上記ＰＬ指示メッセージを確実に受信したかどうかをＤＲＮＣに通知するために、ステップＳ６２０で、ＳＲＮＣが上記ＰＬ確認メッセージをＤＲＮＣへ送信した後に、ステップＳ６３０へ進行する。
【００３８】
また、上記チャンネルタイプ再構成指示メッセージを使用して選好周波数情報を送信する場合に、図５のステップＳ５３０及びステップＳ５４０と図６のステップＳ６１０及びステップＳ６２０でのＰＬ指示／確認メッセージの代わりに、上記チャンネルタイプ再構成指示／確認メッセージが使用されることができることは、当該技術分野における通常の知識を有する者には自明である。
【００３９】
本発明の実施形態によると、セッションを開始する際に、ＤＲＮＣが各セルの選好周波数を決定した後に、上記決定された選好周波数に関する情報を図３のステップＳ４４０でのＰＬ指示メッセージを通じてＳＲＮＣへ送信する場合に、メッセージのサイズを減少させる方法について説明する。
【００４０】
本実施形態は、以前の実施形態と実質的に同一であり、以前の実施形態での図３、図５、及び図６の手順は、現在の実施形態にも同一に適用される。
【００４１】
本実施形態において、以前の実施形態での図４Ａに示すように、ＤＲＮＣが管理するすべてのセルの選好周波数情報の送信のために１つのメッセージに含むことなく、図４Ｃのフォーマットに示すように、ＳＲＮＣが管理し、ＤＲＮＣが管理する現在ＣＥＬＬ_ＤＣＨ ＵＥが位置しているセルの選好周波数のみを送信する。
【００４２】
また、本実施形態において、選好周波数情報のサイズを減少させるために、上記セルの選好周波数のうち、もっとも頻繁な選好周波数を基本選好周波数として設定する。従って、上記基本選好周波数が設定されたセルのＩＤは、別途に送信せず、上記基本選好周波数とは異なる各選好周波数に関連したセルＩＤリストを付加選好周波数情報を用いて送信する。
【００４３】
図７は、本発明の好ましい実施形態によるＰＬ指示メッセージの構成動作を示すフロー図である。
【００４４】
図７は、本発明の好ましい実施形態によるＤＲＮＣの動作のうち、図５のステップＳ５３０でのＰＬ指示メッセージの構成方法をさらに詳細に示す。
【００４５】
ステップＳ７１０で、ＤＲＮＣは、セルカウント値“ｎ”を０に設定した後に、ステップＳ７２０で、ＤＲＮＣは、セルカウント値“ｎ”がＤＲＮＣが管理するすべてのセルの個数“ｔｏｔａｌ_ｃｅｌｌ”より小さいか否かを判断する。“ｎ”がすべてのセルの個数“ｔｏｔａｌ_ｃｅｌｌ”より小さいと、ステップＳ７３０へ進行して、ＳＲＮＣが管理するＣＥＬＬ_ＤＣＨ ＵＥがセル“ｎ”に存在するか否かを判断する。ＣＥＬＬ_ＤＣＨ ＵＥがセル“ｎ”に存在すると、ステップＳ７４０へ進行し、ＣＥＬＬ_ＤＣＨ ＵＥがセル“ｎ”に存在しないと、ステップＳ７５０へ進行する。
【００４６】
ステップＳ７４０で、ＤＲＮＣは、セル“ｎ”で選好周波数として設定された周波数“ｉ”のカウント値“Ｆ_ｉ”を１つ増加させ、上記周波数“ｉ”に関連したセルリスト“Ｌｉｓｔ_ｉ”に現在のセルＩＤ“Ｃｅｌｌ_ｎ”を付加した後に、ステップＳ７５０へ進行する。
【００４７】
ステップＳ７５０で、ＤＲＮＣは、セルカウント値“ｎ”を１つ増加させた後、ステップＳ７２０で、“ｎ”値を“ｔｏｔａｌ_ｃｅｌｌ”値と比較して、ＤＲＮＣが管理するすべてのセルに対してステップＳ７３０、ステップＳ７４０、及びステップＳ７５０のカウンティング過程が完了したかどうかを判断する。すべてのセルに対してカウンティング過程が完了した場合には、ステップＳ７６０へ進行する。
【００４８】
ステップＳ７６０で、ＤＲＮＣは、上記カウンティング過程で設定されたそれぞれの選好周波数“ｉ”のカウント値“Ｆ_ｉ”を比較して、このうち、もっとも大きいカウント値を有する選好周波数を基本選好周波数として設定し、残りの選好周波数に関連したセルＩＤのリストを生成する。ＰＬ指示メッセージは、上記基本選好周波数を示す基本選好周波数情報及び残りの選好周波数のセルリストを含む付加選好周波数情報に含まれる。
【００４９】
図８は、本発明の望ましい実施形態によるＳＲＮＣの動作のうち、専用通知手順の遂行ステップを示すフロー図である。図８は、本発明の望ましい実施形態によるＳＲＮＣの動作のうち、図６のステップＳ６３０で、上記専用通知手順の遂行ステップをさらに詳細に説明する。
【００５０】
ステップＳ８１０で、ＳＲＮＣは、ＵＥカウント値“ｎ”を０に設定した後に、ステップＳ８２０で、ＳＲＮＣは、“ｎ”が、ＤＲＮＣが管理して専用チャンネルを有するすべてのＵＥの個数“ｔｏｔａｌ_ＵＥ”より小さいか否かを判断する。“ｎ”がすべてのＵＥの個数“ｔｏｔａｌ_ｃｅｌｌ”より小さい場合には、ステップＳ８３０へ進行して、上記付加選好周波数情報がＤＲＮＣから受信されたＰＬ指示メッセージに存在するか否かを確認する。上記付加選好周波数情報が上記ＰＬ指示メッセージに存在しない場合には、ステップＳ８５０へ進行する。ステップＳ８５０で、ＳＲＮＣは、ＵＥ_ｎの選好周波数を上記ＰＬ指示メッセージに含まれた基本選好周波数として設定した後に、ステップＳ８７０で、ＳＲＮＣは、上記設定された選好周波数に関する情報を含む専用通知メッセージをＵＥ_ｎへ送信する。
【００５１】
しかしながら、ステップＳ８３０で、上記付加選好周波数情報が上記ＰＬ指示メッセージに存在すると、ステップＳ８４０で、ＳＲＮＣは、ＵＥ_ｎを含むセルのＩＤである“ＣＩＤ_ｎ”が上記付加選好周波数情報内のセルＩＤリストである“ＣＩＤ_ｌｉｓｔ”に含まれているか否かを判断する。“ＣＩＤ_ｎ”が上記リストに含まれていないと、ステップＳ８５０へ進行する。すなわち、ステップＳ８５０で、ＳＲＮＣは、ＵＥ_ｎの選好周波数を上記基本選好周波数として設定した後に、ステップＳ８７０で、ＳＲＮＣは、上記設定された選好周波数に関する情報を含む専用通知メッセージをＵＥ_ｎへ送信する。しかしながら、“ＣＩＤ_ｎ”が上記リストに含まれていると、ステップＳ８６０で、ＳＲＮＣは、上記リストに関連した選好周波数を上記ＵＥ_ｎの選好周波数として設定し、ステップＳ８７０で、上記設定された選好周波数に関する情報を含む専用通知メッセージをＵＥ_ｎへ送信する。
【００５２】
上述したようなステップは、ＤＲＮＣが管理するすべてのＣＥＬＬ_ＤＣＨ ＵＥに対して反復される。また、上記“ｎ”が、ＤＲＮＣが現在管理しているすべてのＵＥの個数より小さくないと、上記手順を終了する。
【００５３】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００５４】
【図１】移動通信ネットワークにおけるＭＢＭＳサービスのための従来のネットワーク構成を示すブロック図である。
【図２】ＭＢＭＳシステムにおけるＦＬＣ状況の従来の周波数階層構成を示す図である。
【図３】本発明の望ましい実施形態によるＲＮＣとＵＥとの間のメッセージフローを示すフロー図である。
【図４Ａ】本発明の望ましい実施形態による選好周波数指示メッセージ及びチャンネルタイプ再構成指示メッセージのフォーマットを示す図である。
【図４Ｂ】本発明の望ましい実施形態による選好周波数指示メッセージ及びチャンネルタイプ再構成指示メッセージのフォーマットを示す図である。
【図４Ｃ】本発明の望ましい実施形態による選好周波数指示メッセージ及びチャンネルタイプ再構成指示メッセージのフォーマットを示す図である。
【図５】本発明の望ましい実施形態によるＤＲＮＣの動作を示すフロー図である。
【図６】本発明の望ましい実施形態によるＳＲＮＣの動作を示すフロー図である。
【図７】本発明の望ましい実施形態によるＰＬ指示メッセージの構成動作を示すフロー図である。
【図８】本発明の望ましい実施形態によるＳＲＮＣの動作のうち専用通知手順の遂行ステップを示すフロー図である。
【符号の説明】
【００５５】
３０１  ＳＲＮＣ
３０２  ＤＲＮＣ
３０３  ＵＥ
【図１】
2008508785.tif 000003
【図２】
2008508785.tif 000004
【図３】
2008508785.tif 000005
【図４Ａ】
2008508785.tif 000006
【図４Ｂ】
2008508785.tif 000007
【図４Ｃ】
2008508785.tif 000008
【図５】
2008508785.tif 000009
【図６】
2008508785.tif 000010
【図７】
2008508785.tif 000011
【図８】
2008508785.tif 000012
【国際調査報告】
2008508785.tif 000013
2008508785.tif 000014